(57)【要約】【課題】暗所でも観察用具上の星座線及び星座絵を容易に認識することができ、夜空の星に星座線および星座絵を合わせることを容易にする観察用具を提供する。【解決手段】観察用具１は、透光性を有するシート上に星座線が表示された星座線シート部２１と、透光性を有するシート上に星座線に対応する星座絵が表示された星座絵シート部２２とを備え、星座線シート部２１と星座絵シート部２２とが重ね合わされた状態で星座線と星座絵とが重なって星座を表わすように構成されている。【選択図】図１
0003221520.tif 000002
【実用新案登録請求の範囲】
【請求項１】
透光性を有するシート上に星座線が表示された星座線シート部と、
透光性を有するシート上に前記星座線に対応する星座絵が表示された星座絵シート部とを備え、
前記星座線シート部と前記星座絵シート部とが重ね合わされた状態で前記星座線と前記星座絵とが重なって星座を表わすように構成されている、観察用具。
【請求項２】
前記星座線シート部と前記星座絵シート部は、前記星座線シート部の上端部と前記星座絵シート部の上端部とが対向するように単一のシート上に配置されて星座線星座絵シートを構成し、
前記星座線星座絵シートは、前記星座線シート部と前記星座絵シート部との間に折り曲げ部を有する、請求項１に記載の観察用具。
【請求項３】
前記星座線シート部と前記星座絵シート部は、前記星座線シート部の下端部と前記星座絵シート部の下端部とが対向するように単一のシート上に配置されて星座線星座絵シートを構成し、
前記星座線星座絵シートは、前記星座線シート部と前記星座絵シート部との間に折り曲げ部を有する、請求項１に記載の観察用具。
【請求項４】
前記星座線シート部は、表示された星座の観察の目印となる星および／または補助線が表示されている、請求項１から請求項３までのいずれか１項に記載の観察用具。
【請求項５】
前記星座線および／または前記星座絵は、蓄光性、蛍光性、黄色、または、白色の素材によって表示されている、請求項１から請求項４までのいずれか１項に記載の観察用具。
【請求項６】
前記透光性を有するシートは無色透明である、請求項１から請求項５までのいずれか１項に記載の観察用具。
【請求項７】
前記星座線および／または前記星座絵は、線幅１ｍｍ以上の線によって表示されている、請求項１から請求項６までのいずれか１項に記載の観察用具。
【請求項８】
それぞれ異なる星座線が表示された複数の前記星座線シート部と、それぞれ前記複数の星座線シート部の異なる星座線のそれぞれに対応する星座絵が表示された複数の前記星座絵シート部とを備える、請求項１から請求項７までのいずれか１項に記載の観察用具。
【請求項９】
前記星座線シート部においては、星の明るさの等級に応じた大きさの中空の円によって星が表示されている、請求項１から請求項８までのいずれか１項に記載の観察用具。
【請求項１０】
前記星座線シート部においては、透光性の素材によって星が表示されている、請求項１から請求項９までのいずれか１項に記載の観察用具。
【請求項１１】
透光性を有するシート状の基板と、
前記基板上に前記星座線シート部と前記星座絵シート部とを着脱可能に固定する固定部材とをさらに備え、
前記基板上に前記星座線シート部と前記星座絵シート部とが前記固定部材によって固定された状態で前記星座線と前記星座絵とが重なって星座を表わすように構成されている、請求項１から請求項１０までのいずれか１項に記載の観察用具。
【請求項１２】
前記星座線シート部と前記星座絵シート部は単一のシート上に配置されて星座線星座絵シートを構成し、
前記星座線星座絵シートは、前記星座線シート部と前記星座絵シート部との間に折り曲げ部を有し、
前記星座線星座絵シートは、前記折り曲げ部において折り曲げられた状態で、前記星座線シート部が前記基板の一方の面上に配置され、前記星座絵シート部が前記基板の他方の面上に配置されるように前記基板を挟み、前記折り曲げ部において前記固定部材によって前記基板上に着脱可能に固定されるように構成されている、請求項１１に記載の観察用具。
【請求項１３】
前記基板と、前記星座線シート部と、前記星座絵シート部は、同一の大きさに形成されている、請求項１１または請求項１２に記載の観察用具。
【請求項１４】
前記基板は無色透明である、請求項１１から請求項１３までのいずれか１項に記載の観察用具。
【考案の詳細な説明】
【技術分野】
【０００１】
本考案は、一般的には観察用具に関し、特定的には、星座を観察するための観察用具に関する。
【背景技術】
【０００２】
夜空の星で星座を認識するためには、星座早見版がよく用いられる。近年、スマートフォン等のアプリで、画面を夜空にかざすと画面の先にある星座線と星座絵を示せるものがある。また、書籍藤井旭著「新透視版  星座アルバム  春・夏編」誠文堂新光社  １９８８年（非特許文献１）および藤井旭著「新透視版  星座アルバム  秋・冬編」誠文堂新光社  １９８７年（非特許文献２）には、透視可能なフィルムに印刷された星座線と星座絵を夜空の星に重ねられるシートが添付されている。
【先行技術文献】
【非特許文献】
【０００３】
【非特許文献１】藤井旭著「新透視版  星座アルバム  春・夏編」誠文堂新光社  １９８８年
【非特許文献２】藤井旭著「新透視版  星座アルバム  秋・冬編」誠文堂新光社  １９８７年
【考案の概要】
【考案が解決しようとする課題】
【０００４】
しかしながら、星座早見版に記載された星座は小さくまた地平線に近い星座の形状はいびつになっているため、星座の認識は困難である。スマートフォン等のアプリでも、プラネタリウムのように実際の星に星座線及び星座絵を合わせることはできず、星座の認識には未だ不十分である。非特許文献１または非特許文献２に添付されているシートも、印刷された星座線と星座絵は薄く、また、星座線と星座絵が重ねて表示されており、暗所では認識困難である。
【０００５】
そこで、本考案の目的は、暗所でも観察用具上の星座線及び星座絵を容易に認識することができ、夜空の星に星座線および星座絵を合わせることを容易にする観察用具を提供することである。
【課題を解決するための手段】
【０００６】
本考案に従った観察用具は、透光性を有するシート上に星座線が表示された星座線シート部と、透光性を有するシート上に星座線に対応する星座絵が表示された星座絵シート部とを備え、星座線シート部と星座絵シート部とが重ね合わされた状態で星座線と星座絵とが重なって星座を表わすように構成されている。
【０００７】
このようにすることにより、夜空の星を観察し、まず星座線シート部を用いて星座を見つけ、次に星座絵シート部を用いて星座絵を確認することができる。
【考案の効果】
【０００８】
本考案に従えば、暗所でも観察用具上の星座線及び星座絵を容易に認識することができ、夜空の星に星座線および星座絵を合わせることを容易にする観察用具を提供することができる。
【図面の簡単な説明】
【０００９】
【図１】観察用具の全体を、透明部分を不透明なものとして模式的に示す（Ａ）正面図と、（Ｂ）背面図と、（Ｃ）図１の（Ａ）の矢印Ｃの方向から見た側面図である。
【図２】１つの実施形態の星座線星座絵シートの全体を示す図である。
【図３】別の実施形態の星座線星座絵シートの全体を示す図である。
【図４】星座線シート部と星座絵シート部とが重ねあわされた状態を示す図である。
【考案を実施するための形態】
【００１０】
以下、この考案の実施の形態を図面に基づいて説明する。
【００１１】
図１に示すように、１つの実施形態においては、観察用具１は、基板１０と、星座線シート部２１と星座絵シート部２２とを含む星座線星座絵シート２０と、固定部材３０とから構成されている。
【００１２】
基板１０は、透光性を有するシート状のものである。好ましくは、基板１０は無色透明の剛性の板である。限定ではなく、基板１０は、例えばＩＳＯ規格のＡ４の大きさであることが好ましい。
【００１３】
星座線星座絵シート２０は、全体が透光性を有するシートによって形成されている。星座線星座絵シート２０は、好ましくは無色透明の可撓性のシートであり、折り曲げ部２３を有する。星座線星座絵シート２０は、基板１０がＡ４の大きさである場合には、限定ではないが、ＩＳＯ規格のＡ３の大きさであることが好ましい。
【００１４】
固定部材３０としては、例えばクリップが用いられる。半分に（全体がＡ３の大きさである場合は、Ａ４の大きさに）折り曲げられた星座線星座絵シート２０の折り曲げ部２３において、固定部材３０によって、星座線星座絵シート２０が基板１０上に着脱可能に固定される。
【００１５】
図１と図２に示すように、星座線星座絵シート２０には、折り曲げ部２３を境界にして、上部に星座線シート部２１が形成され、下部に星座絵シート部２２が形成されている。１つの実施形態では、星座線シート部２１と星座絵シート部２２の大きさは、それぞれ、星座線星座絵シート２０の半分の大きさ（Ａ４）であって、基板１０と同じ大きさである。
【００１６】
この実施形態においては、星座線シート部２１と星座絵シート部２２は、星座線シート部２１の上端部２１ａと星座絵シート部２２の上端部２２ａとが対向するように単一のシート上に配置されて星座線星座絵シート２０を構成し、星座線星座絵シート２０は、星座線シート部２１の上端部２１ａと星座絵シート部２２の上端部２２ａとの間に折り曲げ部２３を有する。
【００１７】
また、図３に示すように、星座線シート部２１と星座絵シート部２２は、星座線シート部２１の下端部２１ｂと星座絵シート部２２の下端部２２ｂとが対向するように単一のシート上に配置されて星座線星座絵シート２０を構成し、星座線星座絵シート２０は、星座線シート部２１ｂと星座絵シート部２２ｂとの間に折り曲げ部２３を有するように構成されてもよい。
【００１８】
このようにすることにより、星座線シート部２１と星座絵シート部２２を簡単に位置合わせすることができる。
【００１９】
星座線星座絵シート２０は、折り曲げ部２３において折り曲げられた状態で、星座線シート部２１が基板１０の一方の面上に配置され、星座絵シート部２２が基板１０の他方の面上に配置されるように基板１０を挟み、折り曲げ部２３において固定部材３０によって基板１０上に着脱可能に固定されるように構成される。
【００２０】
このようにすることにより、観察用具１を夜空にかざして星座を観察する際に、星座線シート部２１と星座絵シート部２２がずれないようにすることができる。
【００２１】
図２または図３に示すように、星座線シート部２１には、例えば、オリオン座の星座線が表示されている。星座線シート部２１には、星と、星をつなぐ線が表示されていることが好ましい。星は、星の明るさの等級に応じた大きさの中空の円によって表示されていることが好ましい。また、星は、透光性の素材によって表示されていてもよい。このようにすることによって、観察対象の星座の星を実際の夜空で見つけやすくなる。
【００２２】
星座線シート部２１にはさらに、表示された星座の観察の目印となる星および／または補助線が表示されていることが好ましい。例えば、表示される星座がオリオン座である場合には、例えばシリウスおよび／またはプロキオンおよび冬の大三角を示す補助線が目印として表示されることが好ましい。
【００２３】
図２または図３に示すように、星座絵シート部２２には、星座線シート部２１に表示された星座（例えば、オリオン座）に対応する、オリオン座の星座が表示されている。
【００２４】
１つの実施形態においては、星座線および／または星座絵は、蓄光性、蛍光性、黄色、または、白色の素材によって表示されている。また、星座線および／または星座絵は、線幅１ｍｍ以上の線によって表示されていることが好ましい。例えば星座線および／または星座絵が黄色や白色のマーカーで表示されている場合には、線幅は２ｍｍ以上であることがより好ましい。例えば星座線および／または星座絵が蓄光シールで表示されている場合には、線幅が２ｍｍ未満でも視認できる。
【００２５】
このようにすることにより、暗所でも星座線と星座絵が視認しやすくなる。また、線幅を１ｍｍ以上にすることで、実際の遠い星空と、手元の観察用具１の星座線および／または星座絵の両方に使用者の目のピントを楽に合わせることができるようになる。
【００２６】
図４に示すように、観察用具１を夜空にかざした状態で星座線シート部２１と星座絵シート部２２とが基板１０を挟んで重ね合わされて基板１０上に星座線シート部２１と星座絵シート部２２とが固定された状態では、星座線と星座絵とが重なって星座を表わすように構成されている。
【００２７】
星座線シート部２１は複数備えられ、オリオン座だけでなく、他の様々な星座線がそれぞれの星座線シート部２１に１つずつ表示されていてもよい。
【００２８】
星座絵シート部２２も複数備えられ、オリオン座だけでなく、他の様々な星座絵がそれぞれの星座絵シート部２２に１つずつ表示されていてもよい。
【００２９】
基板１０上には星座線シート部２１と星座絵シート部２２（星座線星座絵シート２０）が固定部材３０によって着脱可能に固定されるので、観察対象の星座に合わせて、星座線星座絵シート２０を別の星座のものに取り換えて使用することができる。
【００３０】
なお、この実施形態においては、観察用具１は基板１０と固定部材３０を備えるものとして説明したが、基板１０と固定部材３０は備えられなくてもよい。例えば、星座線星座絵シート２０が剛性な板で形成されている場合や、星座線シート部２１および／または星座絵シート部２２が剛性な板で形成されている場合には、観察用具１は基板１０を備える必要がない。また、基板１０を備えず、星座線星座絵シート２０のように星座線シート部２１と星座絵シート部２２が一体的に構成されている場合には、固定部材３０は必要ない。星座線シート部２１と星座絵シート部２２は、この実施形態においては星座線星座絵シート２０として一体的に形成されているが、別個のシートとして形成されていてもよい。
【００３１】
本考案に従った観察用具１の使用方法を説明する。まず、基板１０に星座線星座絵シート２０を固定部材３０で固定する。次に、星座絵シート部２２をめくって、星座線シート部２１のみが基板１０上に配置されるようにした状態で、夜空で観察対象の星座を、例えば星座線シート部２１に表示されている星座線と目印の星を手掛かりにして探す。観察対象の星座を見つけたら、星座線を夜空の実際の星座に重ねて観察する。次に、めくられていた星座絵シート部２２をさらに基板１０の上に重ねる。このようにすることによって、星座線シート部２１の星座線と星座絵シート部２２の星座絵とが夜空の実際の星座に重なる。
【００３２】
このように、本考案に従えば、暗所でも観察用具１上の星座線及び星座絵を容易に認識することができ、夜空の星に星座線および星座絵を合わせることを容易にする観察用具１を提供することができる。
【００３３】
本考案を要約すると次の通りである。
【００３４】
（１）本考案に従った観察用具は、透光性を有するシート上に星座線が表示された星座線シート部と、透光性を有するシート上に星座線に対応する星座絵が表示された星座絵シート部とを備え、星座線シート部と星座絵シート部とが重ね合わされた状態で星座線と星座絵とが重なって星座を表わすように構成されている。
【００３５】
（２）本考案に従った観察用具においては、星座線シート部と星座絵シート部は、星座線シート部の上端部と星座絵シート部の上端部とが対向するように単一のシート上に配置されて星座線星座絵シートを構成し、星座線星座絵シートは、星座線シート部と星座絵シート部との間に折り曲げ部を有することが好ましい。
【００３６】
（３）本考案に従った観察用具においては、星座線シート部と星座絵シート部は、星座線シート部の下端部と星座絵シート部の下端部とが対向するように単一のシート上に配置されて星座線星座絵シートを構成し、星座線星座絵シートは、星座線シート部と星座絵シート部との間に折り曲げ部を有することが好ましい。
【００３７】
（４）本考案に従った観察用具においては、星座線シート部は、表示された星座の観察の目印となる星および／または補助線が表示されていることが好ましい。
【００３８】
（５）本考案に従った観察用具においては、星座線および／または星座絵は、蓄光性、蛍光性、黄色、または、白色の素材によって表示されていることが好ましい。
【００３９】
（６）本考案に従った観察用具においては、透光性を有するシートは無色透明であることが好ましい。
【００４０】
（７）本考案に従った観察用具においては、星座線および／または星座絵は、線幅１ｍｍ以上の線によって表示されていることが好ましい。
【００４１】
（８）本考案に従った観察用具は、それぞれ異なる星座線が表示された複数の星座線シート部と、それぞれ複数の星座線シートの異なる星座線のそれぞれに対応する星座絵が表示された複数の星座絵シート部とを備えることが好ましい。
【００４２】
（９）本考案に従った観察用具においては、星座線シートにおいては、星の明るさの等級に応じた大きさの中空の円によって星が表示されていることが好ましい。
【００４３】
（１０）本考案に従った観察用具においては、星座線シートにおいては、透光性の素材によって星が表示されていることが好ましい。
【００４４】
（１１）本考案に従った観察用具は、透光性を有するシート状の基板と、基板上に星座線シート部と星座絵シート部とを着脱可能に固定する固定部材とをさらに備え、基板上に星座線シート部と星座絵シート部とが固定部材によって固定された状態で星座線と星座絵とが重なって星座を表わすように構成されていることが好ましい。
【００４５】
（１２）本考案に従った観察用具においては、星座線シート部と星座絵シート部は単一のシート上に配置されて星座線星座絵シートを構成し、星座線星座絵シートは、星座線シート部と星座絵シート部との間に折り曲げ部を有し、星座線星座絵シートは、折り曲げ部において折り曲げられた状態で、星座線シート部が基板の一方の面上に配置され、星座絵シート部が基板の他方の面上に配置されるように基板を挟み、折り曲げ部において固定部材によって基板上に着脱可能に固定されるように構成されていることが好ましい。
【００４６】
（１３）本考案に従った観察用具においては、基板と、星座線シート部と、星座絵シート部は、同一の大きさに形成されていることが好ましい。
【００４７】
（１４）本考案に従った観察用具においては、基板は無色透明であることが好ましい。
【００４８】
以上に開示された実施の形態はすべての点で例示であって制限的なものではないと考慮されるべきである。本考案の範囲は、以上の実施の形態ではなく、実用新案登録請求の範囲によって示され、実用新案登録請求の範囲と均等の意味および範囲内でのすべての修正や変形を含むものである。
【符号の説明】
【００４９】
１    観察用具
１０    基板
２０    星座線星座絵シート
２１    星座線シート部
２１ａ  星座線シート部の上端部
２１ｂ  星座線シート部の下端部
２２    星座絵シート部
２２ａ  星座絵シート部の上端部
２２ｂ  星座絵シート部の下端部
２３    折り曲げ部
３０    固定部材
【図１】
0003221520.tif 000003
【図２】
0003221520.tif 000004
【図３】
0003221520.tif 000005
【図４】
0003221520.tif 000006